(57)【要約】【課題】内斜視を有する人の眼を検査し易くする技術の提供。【解決手段】潜望鏡式装置３は、筒状体４、筒状体４の第一端部６の内側に設けられた第１ミラー５及び第２端部８の内側に設けられた第２ミラー７を備える。一実施形態では、第１及び第２ミラー５，７は、内斜視でない他方の眼１の検査中に内斜視の眼２で潜望鏡式装置３を覗くと、各ミラー５，７がその視線を略直角に偏向させるように配置されている。潜望鏡式装置３は第１ミラー５の前方に配置されたベースアウトプリズム９をさらに備え、潜望鏡式装置３の使用中に内斜視の眼２による視線が第１ミラー５に向かって偏向する。別の実施形態では、第１及び第２ミラー５，７は相互に平行せず、第１ミラー５は、他方の眼１の検査中に内斜視の眼２で潜望鏡式装置３を覗くと内斜視の眼２による視線が第１ミラー５に反射して第２ミラー７に向かうように配置されている。【選択図】図１
2018501052.tif 000002
【特許請求の範囲】
【請求項１】
内斜視を有する人の眼の検査に用いる潜望鏡式装置であって、
筒状体と、
前記人の内斜視の眼の近傍にセットされることとなる前記筒状体の第１端部の内側に設けられた第１ミラーと、
前記筒状体の第２端部の内側に設けられた第２ミラーと
を備え、
前記第１ミラー及び前記第２ミラーは、
前記人が他方の眼の検査中に前記内斜視の眼で前記潜望鏡式装置を覗くと、個々のミラーが前記人の視線を略直角に偏向させるように配置されており、
前記潜望鏡式装置は、
前記第１ミラーの前方に配置されたベースアウトプリズムをさらに備え、前記潜望鏡式装置の使用中に前記内斜視の眼による視線を前記第１ミラーに向けて偏向させることを特徴とする潜望鏡式装置。
【請求項２】
内斜視を有する人の眼の検査に用いる潜望鏡式装置であって、
筒状体と、
前記人の内斜視の眼の近傍にセットされることとなる前記筒状体の第１端部の内側に設けられた第１ミラーと、
前記筒状体の第２端部の内側に設けられた第２ミラーと
を備え、
前記第１ミラー及び前記第２ミラーは、
相互に平行しない状態で配置され、前記第１ミラーは、前記人が他方の眼の検査中に前記内斜視の眼で前記潜望鏡式装置を覗くと前記内斜視の眼による視線を前記第１ミラーに反射させて前記第２ミラーに向かわせるように配置されていることを特徴とする潜望鏡式装置。
【請求項３】
請求項１に記載の潜望鏡式装置において、
前記ベースアウトプリズムは、
例えば３０以上４５以下のように２０以上５０以下のプリズムディオプタを有していることを特徴とする潜望鏡式装置。
【請求項４】
先行するいずれかの請求項に記載の潜望鏡式装置において、
前記筒状体は、
断面の形状が略一定しており、前記断面の寸法は、例えば１０ｍｍ〜３０ｍｍ又は２０ｍｍ〜５０ｍｍのように１０ｍｍ〜６０ｍｍの範囲内であることを特徴とする潜望鏡式装置。
【請求項５】
請求項１から３のいずれかに記載の潜望鏡式装置において、
前記筒状体は、
円錐形状であり、その断面積が前記第１端部から前記第２端部に向かうにつれ大きくなることを特徴とする潜望鏡式装置。
【請求項６】
先行するいずれかの請求項に記載の潜望鏡式装置において、
前記第１端部に設けられ、前記潜望鏡式装置を標準的な眼鏡フレームに装着させる装着手段をさらに備えた潜望鏡式装置。
【請求項７】
請求項６に記載の潜望鏡式装置において、
前記装着手段は、
弾性を有するポリマー材料で作られたアニュラリングであることを特徴とする潜望鏡式装置。
【請求項８】
先行するいずれかの請求項に記載の潜望鏡式装置において、
前記潜望鏡式装置は、
把持可能な形状に形成されていることを特徴とする潜望鏡式装置。
【請求項９】
内斜視を有する人の眼を検査する方法であって、
前記内斜視でない眼の検査中に、先行するいずれかの請求項に記載の潜望鏡式装置を前記人に前記内斜視の眼で覗かせる工程と、
前記潜望鏡式装置を覗く前記眼により視認可能な位置に固視目標を用意する工程と
を含む方法。
【請求項１０】
内斜視を有する人の眼を検査する方法であって、
前記内斜視の眼の検査中に、請求項１から８のいずれかに記載の潜望鏡式装置を前記人に前記内斜視でない眼で覗かせる工程と、
前記潜望鏡式装置を覗く前記眼により視認可能な位置に固視目標を用意する工程と
を含む方法。
【請求項１１】
請求項９又は１０に記載の内斜視を有する人の眼を検査する方法において、
前記潜望鏡式装置は、
請求項６又は７に記載の潜望鏡式装置であり、
前記方法は、
検査の前に前記潜望鏡式装置を標準的な眼鏡フレームに装着させる工程をさらに含むことを特徴とする方法。
【発明の詳細な説明】
【技術分野】
【０００１】
本発明は、内側に向かう斜視眼（内斜視）を有する人の眼を検査する方法に関し、特に、潜望鏡式装置を用いる手順を含む方法に関する。本発明はさらに、そのような方法に用いられる潜望鏡式装置に関する。
【背景技術】
【０００２】
人が眼の検査を受ける際、例えば眼科医により検眼鏡や細隙灯顕微鏡を用いて検査される際には、検査を受ける眼は所望の方向に静止した状態で保持されることが望ましい。小さな子供を検査する際、小さな子供は十分に長い時間に亘って集中し眼の焦点を一方向に合わせることが困難である。この問題は、映画や点滅光、興味を引く玩具を子供に注視させることにより対処されるのが一般的である。しかしながら、子供が内側に向かう斜視を有している場合、焦点を合わせようとする眼、すなわち、検査を受ける眼でなく、例えば映画を見るのに使われる眼による視線を、眼科医又は眼の検査に用いられる器具が塞いでしまう。したがってその代わりに、他の手段によって同様の効果を得られるよう努めなければならず、例えば子供に静かにしているよう説得したりするがこれは容易なことではない。これにより、検査の効率が下がり、時には検査が不可能となることもある。後者の場合には、子供に全身麻酔をかけた状態で検査を行う必要が生じる。これらのことが原因で検査はいっそう複雑化するとともに、望ましくない副作用が生じる可能性もある。小さな子供について述べたこの問題は、いかなる年齢の知的障がい者の場合にもまた同様に当てはまる。
【発明の概要】
【発明が解決しようとする課題】
【０００３】
本発明の目的は、内斜視を有する人の眼を検査する方法として、上述した問題を解決する改善された方法を提供することである。
特に、本発明の目的は、子供や知的障がい者のケースにおいて眼の検査を行い易くする方法を提供することである。
本発明の目的は、さらに、先行技術の代案を提供することである。
【課題を解決するための手段】
【０００４】
上述した目的及びその他の目的は、発明の第１の側面においては、内斜視を有する人の眼の検査に用いる潜望鏡式装置を提供することにより達成される。この潜望鏡式装置は、筒状体と、人の内斜視の眼の近傍にセットされることとなる筒状体の第１端部の内側に設けられた第１ミラーと、筒状体の第２端部の内側に設けられた第２ミラーとを備え、第１及び第２ミラーの各々は、人が他方の眼の検査中に内斜視の眼で潜望鏡式装置を覗くと第１及び第２ミラーの各々が人の視線を略直角に偏向させるように配置されており、また潜望鏡式装置は第１ミラーの前方に配置されたベースアウトプリズムをさらに備え、潜望鏡式装置の使用中に内斜視の眼による視線が第１ミラーに向かって偏向することを特徴とする。
【０００５】
「筒状体」は、好ましくはその内側に少なくとも第１端部から第２端部の間に拡がる内部空洞を有する外側の筐体を表し、内部空洞は好ましくはチューブ状の形状である。内部空洞の断面形状は、例えば円形や矩形とすることができる。また、内部空洞の断面形状は、例えば１６：９の比率の画面に合う形状とすることもでき、これにより人がこの比率の画面上の画像や映画を見ることが容易となる。
【０００６】
ベースアウトプリズムを備えた上述の実施形態においては、第１及び第２ミラーは、好ましくは相互に平行に配置されている。
ベースアウトプリズムを備えた潜望鏡式装置は、プリズム潜望鏡と称される場合もある。
【０００７】
発明の実施形態の代案においては、第１ミラー及び／又は第２ミラーがプリズムに置き換えられてもよく、これにより上述したミラーを備えた実施形態と同様の効果が得られるということは、当業者であれば理解できるであろう。
【０００８】
現在推奨される発明の実施形態においては、ベースアウトプリズムは筒状体の第１端部の内側に配置されているが、ベースアウトプリズムは筒状体の外側に配置されてもよい。
【０００９】
発明の第２の側面において、上述した目的及びその他の目的は、内斜視を有する人の眼の検査に用いる潜望鏡式装置を提供することにより達成される。この潜望鏡式装置は、筒状体と、人の内斜視の眼の近傍にセットされることとなる筒状体の第１端部の内側に設けられた第１ミラーと、筒状体の第２端部の内側に設けられた第２ミラーとを備え、第１及び第２ミラーは相互に平行しない状態で配置され、第１ミラーは、人が他方の眼の検査中に内斜視の眼で潜望鏡式装置を覗くと内斜視の眼による視線が第１ミラーに反射して第２ミラーに向かうように配置されていることを特徴とする。
【００１０】
上述しまたこれから述べる潜望鏡式装置は、内斜視の眼を検査する際に代替的に用いられてもよい。この点については、図面に関する詳細な説明とともに発明の方法に関する更なる説明の中で、詳しく後述する。
【００１１】
発明の或る実施形態においては、潜望鏡式装置はベースアウトプリズムとミラーとの組み合わせで構成される。筒状体を覗く人は、ベースアウトプリズムを通して例えば映画を見る。このベースアウトプリズムは、概ね３０〜４５プリズムディオプタを有しており、筒状体の患者側に位置する端部に設けられている。ベースアウトプリズムは、光を１５°〜２２．５°の角度で偏向させる。筒状体の残りの部分は、概ね４５°と４５°の角度で配置された２つのミラーを有する従来の潜望鏡と同様に設計される。全体として、視線はベースアウトプリズムによる角度の分だけ偏向されるが、推奨される実施形態においてはこの角度が約２０°である。本発明の潜望鏡式装置は、概ね視線を一方の端部の方に約１０ｃｍ移動させるため、これと同時に他方の眼を検査する余地を与えることができる。
【００１２】
そのような潜望鏡式装置は、人の焦点を所望の方向に維持しつつ頭を静止した状態に保って眼の検査を行い易くする上で特に有用である。この点は特に、小さい子供や知的障がい者のように一般的に短時間しか集中力を保つことができない人を対象とする場合に都合がよい。そのような潜望鏡式装置のエンドユーザは通常、眼科での診療に従事する人、例えば、眼科の医師や看護師、眼科助手、眼科補助、眼鏡店の従業員のように、一方の眼が検査されている人に他方の眼の焦点を合わせてもらう必要がある全ての人である。潜望鏡式装置は、例えば、目の前部、網膜や視神経の写真を撮影したり、或いは人の眼の光コヒーレンスをスキャンしたりするのを助ける固視装置として使用することも可能である。
【００１３】
ベースアウトプリズムは、２０以上５０以下のプリズムディオプタを有していればよく、例えば３０以上４５以下のプリズムディオプタを有していてもよい。「プリズムディオプタ（ＰＤ）」は、眼用プリズムを通過した光のずれを計測する単位として１ｍの距離で１ｃｍのずれに相当する単位として定義されることが好ましい。現在推奨される上記の数値は、本発明が有益となる人の斜視の一般的な度数に適していることが確認されている。潜望鏡式装置はまた、内斜視を有しない子供を検査する際に用いることもできる。潜望鏡式装置は、子供が一方の眼で潜望鏡式装置を覗いて焦点を合わせている間に検査者が他方の眼を検査することを可能にする。
【００１４】
筒状体の断面は、例えば円形や四角形など、所望の形状とすることができる。或る実施形態に対しては、筒状体はほぼ一定の断面形状を有していてもよく、断面の特徴的な寸法は、例えば１０ｍｍ〜３０ｍｍ又は２０ｍｍ〜５０ｍｍのように、１０ｍｍ〜６０ｍｍとすることができる。これに代わる実施形態においては、筒状体は円錐形状でありその断面積が第１端部から第２端部に向かって次第に大きく形成されていてもよい。円錐形状の筒状体により得られるメリットは、筒状体がほぼ一定の断面形状を有している場合と比べ患者の視野面積がより大きくなることである。断面が円形であり円錐形状の筒状体を備えた潜望鏡式装置に対しては、例えば、第１端部における断面の直径が４０ｍｍに設定され、第２端部おける断面の直径が５５ｍｍに設定されている。断面形状は、湾曲していてもよく、またユーザが直観的に望ましい向きに把持することができる部位を有していてもよい。外面はまた、潜望鏡式装置を楽に把持するための手段、例えばざらつきのある表面や、ゴム素材のような滑りに逆らう素材で形成された部位を有していてもよい。
【００１５】
上述したいかなる実施形態においても、潜望鏡式装置はさらに、自身を標準的な眼鏡フレームに装着させるための装着手段を第１端部に備えていてもよい。装着手段は、小さな子供や何らかの障がいを抱えた人のように潜望鏡式装置を把持するのが困難な人が潜望鏡式装置を容易に使用することを可能とする。このようにすれば、検査を受ける特定の人にフィットする眼鏡フレームに潜望鏡式装置を装着し、潜望鏡式装置を定位置に確実に静止させることも可能となる。
【００１６】
装着手段は、例えばシリコン、金属やプラスチック材料のような弾性を有するポリマー材料で作られたアニュラリングであってもよい。
【００１７】
推奨される発明の実施形態においては、上述した潜望鏡式装置は把持可能な大きさに形成されている。潜望鏡式装置はその使用中に、眼の検査を受ける人、或いは必要に応じ別の人によって把持される。
【００１８】
第３の側面においては、本発明は内斜視を有する人の眼を検査する方法に関する。この方法は、他方の眼の検査中にその人に上述した潜望鏡式装置を内斜視の眼で覗かせる工程と、潜望鏡式装置を覗く眼により視認可能な位置に固視目標を用意する工程とを含む。
【００１９】
また、本発明の第３の側面は、内斜視を有する人の眼を検査する方法に関し、この方法は、内斜視の眼の検査中にその人に上述した潜望鏡式装置を内斜視でない眼で覗かせる工程と、潜望鏡式装置を覗く眼により視認可能な位置に固視目標を用意する工程とを含む。
【００２０】
そのような方法において、使用される潜望鏡式装置は上述したいずれかの潜望鏡式装置であればよく、したがってそのような方法によるメリットは潜望鏡式装置に関連して既に述べた上述のメリットと同様である。
【００２１】
潜望鏡式装置が自身を標準的な眼鏡フレームに装着させるための手段を備えている実施形態においては、人の眼を検査する方法はさらに、検査が行われる前に潜望鏡式装置を標準的な眼鏡フレームに装着する工程を含んでいてもよい。またこの代わりに、対応する潜望鏡式装置が予め装着されていてそのまま使用することが可能な状態である眼鏡フレームを使用してもよい。
【００２２】
本発明の第１、第２及び第３の側面は、それぞれが他の側面と組み合せられてもよい。発明のこれらの側面及びその他の側面は、以下に述べる実施形態を参照することにより明らかになる。
【図面の簡単な説明】
【００２３】
本発明の潜望鏡式装置及びこれを人の眼の検査に用いる方法は、添付図面を参照しながらさらに詳細に説明される。これらの図面は、本発明を実施するいくつかの方法を例示するものであり、特許請求の範囲に含まれるその他の可能な実施形態に限定して解釈されるものではない。
【００２４】
【図１】ベースアウトプリズムを備えた本発明の一実施形態の原理を概略的に示す平面図である。
【図２】内斜視を有する人の眼の検査にまつわる上述した課題を本発明がどのように解決するかを概略的に説明する図である。図２中（ａ）及び図２中（ｂ）は、検査を受けていない眼による視線が検査者によりどのように塞がれるかを示している。図２中（ｃ）は、本発明を用いることにより視線がどのように変化するかを示している。
【図３】円錐形状でありその断面積が第１端部から第２端部に向かって次第に大きく形成されている筒状体を有した潜望鏡式装置を示す図である。
【図４】本発明の開発段階で作製された潜望鏡式装置のバージョン１．０を示す写真である（図面代用写真）。この潜望鏡式装置は、自身を標準的な眼鏡フレームに装着させるためのアニュラリング状に形成された装着手段を第１端部に有している。
【図５】本発明の開発段階で作製された試作品のバージョン２．０を示す写真である（図面代用写真）。
【図６】本発明の一実施形態の断面図である。
【図７】図２中（ｃ）に示される使用態様と似ているがベースアウトプリズムを備えていない潜望鏡式装置３が用いられる点で異なる本発明の別の実施形態の使用態様を概略的に示す図である。
【発明を実施するための形態】
【００２５】
図１は、内側に向かう斜視（内斜視）を有する人の眼を検査する際に用いられる本発明の第１形態の原理を概略的に示す平面図である。図に示される例において、右眼２が内側に向かって斜めに見ているのに対し、左眼１はまっすぐ前方を見ている。左眼１が検査される場合、潜望鏡式装置３は右眼２の前に置かれ、これにより図中に示される距離を隔てた位置Ｄに置かれている例えば映画に焦点を合わせることが可能となる。このようにして、検査の間に、例えば小さな子供を静止した状態に保つことがより容易となる。
【００２６】
潜望鏡式装置３は、検査を受ける人又は親等の補助者が潜望鏡式装置３を把持する際に用いられる筒状体４を備えている。図１の実施形態において、筒状体は、説明の便宜のみを目的として非常に簡略化した形状で示されている。潜望鏡式装置は、例えば図６に示されるような形状のように、他の形状に形成されていて把持し易い筐体を備えていてもよい。筒状体４の第１端部６は（図示された例においては）人の右眼２の近傍位置にセットされることとなるが、第１ミラー５は、この第１端部６の内側に配置されている。第２ミラー７は、筒状体４の第２端部８の内側に配置されている。潜望鏡式装置３は、第１ミラー５の前方にベースアウトプリズム９をさらに備えており、これにより潜望鏡式装置３の使用中に内斜視の右眼２による視線が第１ミラー５に向かって偏向する。図１に示されるように、内斜視の右眼２による視線はこのようにして変化し、検査している眼科医（図示されていない）の後方の位置Ｄに配置された例えば映画等の固視目標とする対象物を見ることが可能となる。
【００２７】
ベースアウトプリズム９、第１ミラー５及び第２ミラー７の各々は、人が他方の眼１が検査されている間に内斜視の眼２で潜望鏡式装置３を覗くと、その視線が全体として約２０°の角度で偏向するように配置されている。図１に示される実施形態はミラーを用いて視線を偏向させているが、これに代えて、第１端部６及び第２端部８の各々に第１プリズム及び第２プリズムを配置して用いてもよい。そのようなプリズムは、同様の効果が得られるように構成され配置されなければならない。
【００２８】
図１に示される断面図における潜望鏡式装置３の筒状体４は、ほぼ一定の断面形状を有しており、その形状は例えば円形や四角形である。断面の特徴的な寸法、例えば直径や幅は、１０ｍｍ〜３０ｍｍ又は２０ｍｍ〜５０ｍｍのように、慨して１０ｍｍ〜６０ｍｍである。
【００２９】
図２は、内斜視を有する人の眼の検査にまつわる上述した課題を本発明がどのように解決するかを概略的に説明する平面図である。図中では、被検者１３と、特にその人の眼と目線とが概略的に示されている。眼科医等の検査者１４は、大抵は把持可能である検査用の種々の器具１５を覗く様子が示されている。図２中（ａ）及び図２中（ｂ）は、器具１５が向けられ得る２つの方向に応じて検査を受けていない方の眼による視線が検査者１４によりどのように塞がれるかを示している。これらの結果として、被検者１３は、検査者１４の後方に配置された固視目標とする対象物１６に焦点を合わせることができない。図２中（ａ）及び図２中（ｂ）はまた、内斜視の眼を検査することが困難であり得ることを示している。図２中（ｃ）は、潜望鏡式装置３がどのように被検者１３の右眼の前にセットされ、これにより潜望鏡式装置３を通して固視目標とする対象物１６に焦点を合わせることができるようにその眼の向きを内側に誘導するかを示している。この結果、内斜視の眼の向きは外側に誘導され、これにより内斜視の眼の検査が行い易くなる。
【００３０】
図２は内斜視の眼を検査する様子を説明しているが、図１に示されたように内斜視の眼の前に潜望鏡式装置をセットすることにより、同一の潜望鏡式装置を他方の眼を検査する際にも同様に使用することが可能である。
【００３１】
図３は、円錐形状でありその断面積が第１端部６から第２端部８に向かって次第に大きく形成されている筒状体４を備えた潜望鏡式装置３を示している。
【００３２】
図４は、本発明の開発段階で作成された本発明のバージョン１．０を示している。潜望鏡式装置３は、自身を標準的な眼鏡フレーム（図示されていない）に装着させるためのアニュラリング状に形成された装着手段１２を第１端部６に有している。そのようなアニュラリング１２は、例えばシリコン、金属やプラスチック材料のような弾性を有するポリマー材料で作られてもよい。
【００３３】
図５は、試作品のバージョン２．０の写真を示している。図示された試作品は装着手段を備えていないが、後から追加することが可能である。この実施形態においては、上述した筒状体４が箱型の筐体によって周囲を囲まれているが、その作動原理は上述したものと同様である。上述した筒状体４は、潜望鏡式装置の中を通り抜ける開放路に相当し得る。この開放路が、本明細書において筒状体と称されている。図５中（ａ）は、潜望鏡式装置３をベースアウトプリズム９を備えている側からみた様子を示しており、図５中（ｂ）は、潜望鏡式装置３をその反対側からみた様子を示している。
【００３４】
上述したいかなる実施形態においても、筒状体４は、原則としては多様な材料で作られ得るが、現在推奨される発明の実施形態においてはプラスチックで作られている。潜望鏡式装置３の全長は、概ね１０ｃｍ〜１５ｃｍである。
【００３５】
本発明の方法においては、内斜視を有する人の眼を検査する際に、人に他方の眼１の検査中に内斜視の眼２で潜望鏡式装置３を覗かせる。焦点を合わせる対象物１６が、潜望鏡式装置３を覗く眼により視認可能となる位置Ｄに配置される。対象物１６は、例えば映画や点滅光等でもよい。図２に関連して説明したように、潜望鏡式装置３は、人に他方の眼で潜望鏡式装置３を覗かせることにより、内斜視の眼を検査する際にも同様に使用することが可能である。
【００３６】
つまり要約すると、従来の潜望鏡にベースアウトプリズム９を組み合わせた場合、以下の１，２のことが可能となる。
【００３７】
１：潜望鏡式装置３により、斜視でない方の眼がまっすぐ前方に向いている間に斜視の眼の焦点を合わせることが可能となるため、内側に向かう斜視（内斜視）を有する人の眼を検査することが可能となる。まっすぐ前方に向いている眼は検査を受けることができ、さらに他方の眼を検査するには、潜望鏡式装置３は場所を変えて最初に検査を受けた眼の前に固定される。このようにして、内斜視を有する人は両眼とも検査を受けることが可能となる。
【００３８】
２：本発明の潜望鏡式装置３により、検査者１４は被検者１３の固視させる眼の視界を塞ぐことなく被検者１３の近くに居ることでき、したがって被検者１３は検査者１４の「周囲を見回す」ことが可能となる。
【００３９】
図６は、ベースアウトプリズム９を備え、筒状体４が円錐形状でありその断面積が第１端部６から第２端部８に向かって次第に大きく形成されている本発明の一実施形態の断面図を示している。潜望鏡式装置３の筐体は、例えば射出成形により成形されていて、第１及び第２ミラー５，７とベースアウトプリズム９の取り付け後に組み立てられる様々な部品で構成されていてもよい。
【００４０】
図７は、本発明の別の実施形態の使用態様を概略的に示す図である。この使用形態は、図２中（ｃ）に示された使用形態と似ているが、ベースアウトプリズムを備えていない潜望鏡式装置３が用いられる点で異なっている。この実施形態においては、潜望鏡式装置３は、筒状体４、人の眼２の近傍にセットされることとなる筒状体４の第１端部６の内側に配置された第１ミラー５、及び筒状体４の第２端部８の内側に配置された第２ミラー７を備えている。第１及び第２ミラー５，７は、相互に平行しない状態、すなわち角度βをなす状態で配置されている。この角度は、概ね１５°〜２２．５°の偏向角度、好ましくはベースアウトプリズムを備えた実施形態に関連して上述したように２０°前後の偏向角度、に相当するものである。第１ミラー５は、人が（この図面の場合には）左眼１が検査されている間に右眼２で潜望鏡式装置３を覗くことができるよう配置されており、右眼２による視線は第１ミラー５に反射されて第２ミラー７に向かう。このようにして、ベースアウトプリズムを備えた上述の潜望鏡式装置３の場合と同様の効果が得られる。
【００４１】
本発明を特定の実施形態との関係で説明してきたが、本発明は説明された例示に限定して解釈されない。本発明の範囲は、添付した請求の範囲により定められる。請求項の文脈において、「備えた」又は「備える」の語は、他の構成要素や手順が追加される可能性を排除しない。また、単数形での記述は、複数形を排除して解釈されない。図面に示された構成要素に関連してなされた請求項における参照符号の使用により、発明の範囲は限定して解釈されない。さらに、異なる請求項において言及された個々の特徴は好適に組み合わせることが可能であり、また、異なる請求項においてこれらの特徴に言及することは、特徴の組み合わせが可能でなく有利でないということを排除しない。
【図１】
2018501052.tif 000003
【図２】
2018501052.tif 000004
【図３】
2018501052.tif 000005
【図４】
2018501052.tif 000006
【図５】
2018501052.tif 000007
【図６】
2018501052.tif 000008
【図７】
2018501052.tif 000009
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
内斜視を有する人の眼の検査に用いる潜望鏡式装置であって、
単一の筒状体と、
前記人の一方の眼の近傍にセットされることとなる前記筒状体の第１端部の内側に設けられた第１ミラーと、
前記筒状体の第２端部の内側に設けられた第２ミラーと
を備え、
前記潜望鏡式装置は、
その使用時に、露出した他方の眼が検査されている間に前記一方の眼のみで前記筒状体の前記第１端部から前記潜望鏡式装置を覗くことを可能とする大きさ及び形状に形成されており、前記一方の眼による視線を前記第１ミラーに反射させて前記第２ミラーに向かわせたのち前記第２ミラーに反射させ、
前記第１ミラー及び前記第２ミラーは、
個々のミラーが前記人の視線を略直角に偏向させるように配置されているとともに前記潜望鏡式装置が前記第１ミラーの前方に配置されたベースアウトプリズムをさらに備えており前記潜望鏡式装置の使用中に前記一方の眼による視線を前記第１ミラーに向けて偏向させるか、或いは、個々のミラーが相互に平行しない状態で配置されていることを特徴とする潜望鏡式装置。
【請求項２】
請求項１に記載の潜望鏡式装置において、
前記筒状体は、
その内側に少なくとも前記第１端部と前記第２端部の間に拡がる空洞を有する外側の筐体であることを特徴とする潜望鏡式装置。
【請求項３】
請求項１又は２に記載の潜望鏡式装置において、
前記人が潜望鏡式装置を覗く際に用いる前記一方の眼は、
前記内斜視の眼であることを特徴とする潜望鏡式装置。
【請求項４】
請求項１から３のいずれかに記載の潜望鏡式装置において、
前記潜望鏡式装置は、
ベースアウトプリズムを備えており、
前記第１ミラー及び前記第２ミラーは、
相互に略平行しており、前記筒状体を長さ方向に延ばした仮想線に対し略４５°の角度をなして配置されていることを特徴とする潜望鏡式装置。
【請求項５】
請求項１から３のいずれかに記載の潜望鏡式装置において、
前記潜望鏡式装置は、
ベースアウトプリズムを備え、前記ベースアウトプリズムが例えば３０以上４５以下のように２０以上５０以下のプリズムディオプタを有していることを特徴とする潜望鏡式装置。
【請求項６】
先行するいずれかの請求項に記載の潜望鏡式装置において、
前記筒状体は、
断面の形状が略一定しており、前記断面の寸法は、例えば１０ｍｍ〜３０ｍｍ又は２０ｍｍ〜５０ｍｍのように１０ｍｍ〜６０ｍｍの範囲内であることを特徴とする潜望鏡式装置。
【請求項７】
請求項１から５のいずれかに記載の潜望鏡式装置において、
前記筒状体は、
円錐形状であり、その断面積が前記第１端部から前記第２端部に向かうにつれ大きくなることを特徴とする潜望鏡式装置。
【請求項８】
先行するいずれかの請求項に記載の潜望鏡式装置において、
前記第１端部に設けられ、前記潜望鏡式装置を標準的な眼鏡フレームに装着させる装着手段をさらに備えた潜望鏡式装置。
【請求項９】
請求項８に記載の潜望鏡式装置において、
前記装着手段は、
弾性を有するポリマー材料で形成されたアニュラリングであることを特徴とする潜望鏡式装置。
【請求項１０】
先行するいずれかの請求項に記載の潜望鏡式装置において、
前記潜望鏡式装置は、
把持可能な形状に形成されていることを特徴とする潜望鏡式装置。
【請求項１１】
内斜視を有する人の眼を検査する方法であって、
露出した前記内斜視でない眼の検査中に、先行するいずれかの請求項に記載の潜望鏡式装置を前記筒状体の前記第１端部から前記人に前記内斜視の眼のみで覗かせる工程と、
前記潜望鏡式装置を覗く前記内斜視の眼により視認可能な位置に固視目標を用意する工程と
を含む方法。
【請求項１２】
内斜視を有する人の眼を検査する方法であって、
露出した前記内斜視の眼の検査中に、請求項１から１０のいずれかに記載の潜望鏡式装置を前記筒状体の前記第１端部から前記人に前記内斜視でない眼のみで覗かせる工程と、
前記潜望鏡式装置を覗く前記内斜視でない眼により視認可能な位置に固視目標を用意する工程と
を含む方法。
【請求項１３】
請求項１１又は１２に記載の内斜視を有する人の眼を検査する方法において、
前記潜望鏡式装置は、
請求項８又は９に記載の潜望鏡式装置であり、
前記方法は、
検査の前に前記潜望鏡式装置を標準的な眼鏡フレームに装着させる工程をさらに含むことを特徴とする方法。
【国際調査報告】
2018501052.tif 000010
2018501052.tif 000011
2018501052.tif 000012